(57)【特許請求の範囲】
【請求項１】
紙幣を鑑別する鑑別部と、
上記鑑別部により鑑別された紙幣を一時的に収納する一時保留部と、
紙幣を収納する複数の紙幣収納庫と、
上記鑑別部、上記一時保留部及び上記複数の紙幣収納庫を繋ぐ搬送路と
を有し、
上記一時保留部に収納されている紙幣を繰り出して上記複数の紙幣収納庫へ収納するとき、上記鑑別部による紙幣の鑑別結果をもとに、当該紙幣を、上記一時保留部から上記鑑別部を介して上記複数の紙幣収納庫のうちのいずれかの紙幣収納庫へと搬送して収納する、又は上記一時保留部から上記鑑別部を介さない経路で、上記複数の紙幣収納庫のうちの上記一時保留部に隣接して配置されている紙幣収納庫へと搬送して収納するようになっていて、
上記一時保留部は、入金取引時に入出金口部から投入された紙幣を一時的に収納し、
入金確定後、上記入金された紙幣を上記一時保留部から繰り出して上記複数の紙幣収納庫へ収納するとき、上記鑑別部による紙幣の鑑別結果をもとに、出金に再利用可能な紙幣と判別された紙幣については、上記一時保留部から上記鑑別部を介して上記複数の紙幣収納庫のうちの出金に利用する紙幣を収納するよう設定されている紙幣収納庫へと搬送して収納する一方、出金に再利用不可能な紙幣と判別された紙幣については、上記一時保留部から上記鑑別部を介さない経路で、上記複数の紙幣収納庫のうちの出金に再利用不可能な紙幣を収納するよう設定されている紙幣収納庫へと搬送して収納する
紙幣処理装置。
【請求項２】
紙幣を鑑別する鑑別部と、
上記鑑別部により鑑別された紙幣を一時的に収納する一時保留部と、
紙幣を収納する複数の紙幣収納庫と、
上記鑑別部、上記一時保留部及び上記複数の紙幣収納庫を繋ぐ搬送路と
を有し、
上記一時保留部に収納されている紙幣を繰り出して上記複数の紙幣収納庫へ収納するとき、上記鑑別部による紙幣の鑑別結果をもとに、当該紙幣を、上記一時保留部から上記鑑別部を介して上記複数の紙幣収納庫のうちのいずれかの紙幣収納庫へと搬送して収納する、又は上記一時保留部から上記鑑別部を介さない経路で、上記複数の紙幣収納庫のうちの上記一時保留部に隣接して配置されている紙幣収納庫へと搬送して収納するようになっていて、
上記一時保留部は、入出金口部に残された取り忘れ紙幣を一時的に収納し、
上記取り忘れ紙幣については、上記一時保留部から繰り出した後、上記鑑別部を介さない経路で、上記複数の紙幣収納庫のうちの取り忘れ紙幣を収納するよう設定されている紙幣収納庫へと搬送して収納する
紙幣処理装置。
【請求項３】
紙幣を鑑別する鑑別部と、
上記鑑別部により鑑別された紙幣を一時的に収納する一時保留部と、
紙幣を収納する複数の紙幣収納庫と、
上記鑑別部、上記一時保留部及び上記複数の紙幣収納庫を繋ぐ搬送路と
を有し、
上記一時保留部に収納されている紙幣を繰り出して上記複数の紙幣収納庫へ収納するとき、上記鑑別部による紙幣の鑑別結果をもとに、当該紙幣を、上記一時保留部から上記鑑別部を介して上記複数の紙幣収納庫のうちのいずれかの紙幣収納庫へと搬送して収納する、又は上記一時保留部から上記鑑別部を介さない経路で、上記複数の紙幣収納庫のうちの上記一時保留部に隣接して配置されている紙幣収納庫へと搬送して収納するようになっていて、
上記一時保留部は、出金取引時に上記鑑別部により出金に適さない紙幣と判別された出金リジェクト紙幣を一時的に収納し、
上記出金リジェクト紙幣については、上記一時保留部から繰り出した後、上記鑑別部を介さない経路で、上記複数の紙幣収納庫のうちの出金リジェクト紙幣を収納するよう設定されている紙幣収納庫へと搬送して収納する
紙幣処理装置。
【請求項４】
紙幣を鑑別する鑑別部と、
上記鑑別部により鑑別された紙幣を一時的に収納する一時保留部と、
紙幣を収納する複数の紙幣収納庫と、
上記鑑別部、上記一時保留部及び上記複数の紙幣収納庫を繋ぐ搬送路と
を有し、
上記一時保留部に収納されている紙幣を繰り出して上記複数の紙幣収納庫へ収納するとき、上記鑑別部による紙幣の鑑別結果をもとに、当該紙幣を、上記一時保留部から上記鑑別部を介して上記複数の紙幣収納庫のうちのいずれかの紙幣収納庫へと搬送して収納する、又は上記一時保留部から上記鑑別部を介さない経路で、上記複数の紙幣収納庫のうちの上記一時保留部に隣接して配置されている紙幣収納庫へと搬送して収納するようになっていて、
上記一時保留部は、入金取引時に入出金口部から投入された紙幣を一時的に収納し、
入金確定前に入金が取り消されて、上記一時保留部に収納されている紙幣を上記入出金口部に戻して返却するとき、上記鑑別部による紙幣の鑑別結果をもとに、返却不可能な紙幣と判別された紙幣については、上記一時保留部から上記鑑別部を介さない経路で、上記複数の紙幣収納庫のうちの返却不可能な紙幣を収納するよう設定されている紙幣収納庫へと搬送して収納する
紙幣処理装置。
【発明の詳細な説明】
【技術分野】
【０００１】
本発明は、紙幣処理装置に関し、例えば、金融機関などに設置される現金自動預払機に適用して好適なものである。
【背景技術】
【０００２】
従来、例えば、図１３に示すように、現金自動預払機内に設けられる紙幣入出金機１００は、紙幣の投入口及び受取口となる入出金口部１０１と、紙幣の金種及び真偽などを鑑別する鑑別部１０２と、紙幣を一時的に収納する一時保留部１０３と、紙幣を金種ごとに保管する複数の紙幣収納庫１０４と、リジェクト紙幣を保管するリジェクト庫１０５と、これらをつなぐ搬送路１０６などにより構成されている。
【０００３】
この紙幣入出金機１００では、入金取引時、利用者が入出金口部１０１に紙幣を投入すると、これを鑑別部１０２に搬送し、鑑別部１０２により正常紙幣と判別された紙幣は一時保留部１０３に搬送して収納する一方、入金に適さない入金リジェクト紙幣と判別された紙幣については入出金口部１０１へ戻して利用者に返却する。
【０００４】
その後、利用者により入金金額が確定されると、一時保留部１０３に収納している紙幣を鑑別部１０２に搬送して金種を鑑別し、その金種に応じて各紙幣収納庫１０４へ搬送して保管するようになっている。
【０００５】
一方、出金取引時、紙幣入出金機１００は、利用者に出金金額が指定されると、指定された出金金額に応じた紙幣を各紙幣収納庫１０４から繰り出して鑑別部１０２に搬送する。そして紙幣入出金機１００は、鑑別部１０２により正常紙幣と判別された紙幣は入出金口部１０１に搬送する一方、出金に適さない出金リジェクト紙幣と判別された紙幣は一時保留部１０３に搬送して収納する。
【０００６】
その後、紙幣入出金機１００は、一時保留部１０３に収納している出金リジェクト紙幣を、リジェクト庫１０５へと搬送して保管するようになっている（例えば特許文献１参照）。
【先行技術文献】
【特許文献】
【０００７】
【特許文献１】特開２０１１−２９２１号公報
【発明の概要】
【発明が解決しようとする課題】
【０００８】
ところで、上述した紙幣入出金機１００のような従来の紙幣入出金機では、一時保留部と、紙幣収納庫及びリジェクト庫との間の搬送路上に鑑別部が設けられているため、一時保留部から紙幣収納庫及びリジェクト庫に紙幣を搬送する場合に、必ず鑑別部を経由しなければならない。
【０００９】
この場合、例えば、一時保留部から直ちにリジェクト庫に搬送させたい紙幣についても、鑑別部を経由しなくてはならず、結果、このような紙幣については、搬送距離が長くなってしまう。
【００１０】
搬送距離が長くなると、その分、ジャムなどの障害の発生率が高くなることになる。特に、リジェクト紙幣などのように正常紙幣とは隔離して収納すべき紙幣が搬送途中でジャムになると正常紙幣との区別が困難となり、保守作業に支障をきたす恐れがある。
【００１１】
そこで、このような紙幣、すなわち正常紙幣とは隔離して収納すべき紙幣などにおいて、一時保留部からその収納先（例えばリジェクト庫）までの搬送距離をできるだけ短くしてジャムなどの障害の発生率を低くすることできれば、結果として全体の障害の発生率も低減させることができると考えられる。
【００１２】
本発明は以上の点を考慮したもので、従来と比して一段と障害の発生率を低減し得る紙幣処理装置を提案しようとするものである。
【課題を解決するための手段】
【００１３】
かかる課題を解決するため本発明の紙幣処理装置においては、紙幣を鑑別する鑑別部と、鑑別部により鑑別された紙幣を一時的に収納する一時保留部と、紙幣を収納する複数の紙幣収納庫と、鑑別部、一時保留部及び複数の紙幣収納庫を繋ぐ搬送路とを有し、一時保留部に収納されている紙幣を繰り出して複数の紙幣収納庫へ収納するとき、鑑別部による紙幣の鑑別結果をもとに、当該紙幣を、一時保留部から鑑別部を介して複数の紙幣収納庫のうちのいずれかの紙幣収納庫へと搬送して収納する、又は一時保留部から鑑別部を介さない経路で、複数の紙幣収納庫のうちの一時保留部に隣接して配置されている紙幣収納庫へと搬送して収納するようになっていて、一時保留部が、入金取引時に入出金口部から投入された紙幣を一時的に収納し、入金確定後、入金された紙幣を一時保留部から繰り出して複数の紙幣収納庫へ収納するとき、鑑別部による紙幣の鑑別結果をもとに、出金に再利用可能な紙幣と判別された紙幣については、一時保留部から鑑別部を介して複数の紙幣収納庫のうちの出金に利用する紙幣を収納するよう設定されている紙幣収納庫へと搬送して収納する一方、出金に再利用不可能な紙幣と判別された紙幣については、一時保留部から鑑別部を介さない経路で、複数の紙幣収納庫のうちの出金に再利用不可能な紙幣を収納するよう設定されている紙幣収納庫へと搬送して収納するようにした。また本発明の紙幣処理装置においては、一時保留部が、入出金口部に残された取り忘れ紙幣を一時的に収納し、取り忘れ紙幣については、一時保留部から繰り出した後、鑑別部を介さない経路で、複数の紙幣収納庫のうちの取り忘れ紙幣を収納するよう設定されている紙幣収納庫へと搬送して収納するようにした。さらに本発明の紙幣処理装置においては、上記一時保留部が、出金取引時に鑑別部により出金に適さない紙幣と判別された出金リジェクト紙幣を一時的に収納し、出金リジェクト紙幣については、一時保留部から繰り出した後、鑑別部を介さない経路で、複数の紙幣収納庫のうちの出金リジェクト紙幣を収納するよう設定されている紙幣収納庫へと搬送して収納するようにした。さらに本発明の紙幣処理装置においては、一時保留部が、入金取引時に入出金口部から投入された紙幣を一時的に収納し、入金確定前に入金が取り消されて、一時保留部に収納されている紙幣を入出金口部に戻して返却するとき、鑑別部による紙幣の鑑別結果をもとに、返却不可能な紙幣と判別された紙幣については、一時保留部から鑑別部を介さない経路で、複数の紙幣収納庫のうちの返却不可能な紙幣を収納するよう設定されている紙幣収納庫へと搬送して収納するようにした。
【００１４】
こうすることで、例えば、正常な紙幣とは隔離して収納すべき紙幣については、一時保留部から鑑別部を介さない経路で、複数の紙幣収納庫のうちの一時保留部に隣接して配置されている紙幣収納庫へと搬送して収納することができるので、従来のような必ず鑑別部を介した経路で搬送する場合と比して、一時保留部から直に収納先へと搬送する分、一時保留部から収納先までの搬送距離を短くすることができ、正常な紙幣とは隔離して収納すべき紙幣による障害の発生率を低減させることができる。
【発明の効果】
【００１５】
本発明によれば、正常な紙幣とは隔離して収納すべき紙幣による障害の発生率を低減させることができる。かくして、従来と比して一段と障害の発生率を低減し得る紙幣処理装置を実現できる。
【図面の簡単な説明】
【００１６】
【図１】ＡＴＭの構成を示す略線図である。
【図２】紙幣入出金機の内部構成を示す略線図である。
【図３】紙幣入出金機の動作（入金−計数）の説明にともなう略線図である。
【図４】紙幣入出金機の動作（入金−収納）の説明にともなう略線図である。
【図５】紙幣入出金機の動作（出金）の説明にともなう略線図である。
【図６】紙幣入出金機の動作（取込１）の説明にともなう略線図である。
【図７】紙幣入出金機の動作（取込２）の説明にともなう略線図である。
【図８】紙幣入出金機の動作（取込３）の説明にともなう略線図である。
【図９】紙幣入出金機の動作（返却）の説明にともなう略線図である。
【図１０】他の実施の形態における紙幣入出金機の構成（１）を示す略線図である。
【図１１】他の実施の形態における紙幣入出金機の構成（２）を示す略線図である。
【図１２】他の実施の形態における紙幣入出金機の構成（３）を示す略線図である。
【図１３】従来の紙幣入出金機の構成を示す略線図である。
【発明を実施するための形態】
【００１７】
以下、発明を実施するための形態について、図面を用いて詳細に説明する。
【００１８】
［１．現金自動預払機の構成］
図１に、現金自動預払機（以下、これをＡＴＭとも呼ぶ）１の全体構成の概略を示す。
【００１９】
このＡＴＭ１は、キャッシュカードや紙幣、取引明細票等を取引媒体とし、利用者の操作によって、現金の預け払いや支払い、振り込み等の処理を行うようになっている。
【００２０】
このＡＴＭ１の内部上方には、利用者のキャッシュカード等を処理するカード処理機（図示せず）と、取引明細票（以下、これをレシートとも呼ぶ）を印字して利用者へ発行するレシート印刷機（図示せず）が設けられている。
【００２１】
カード処理機は、ＡＴＭ１の前面（利用者に対向する面）に設けられたカード挿入返却口２より投入された利用者のキャッシュカードを処理し、レシート印刷機は、ＡＴＭ１の前面に設けられたレシート発行口３より取引明細票を利用者へ放出する。
【００２２】
またＡＴＭ１の内部下方には、紙幣を処理する紙幣入出金機４が設けられている。この紙幣入出金機４の前面上方には、ＡＴＭ１の前面に露出する入出金口シャッタ５が設けられ、この入出金口シャッタ５の開閉に応じて紙幣の入出金が行われる。
【００２３】
さらにＡＴＭ１の前面には、利用者の取引内容を表示すると共に、取引のための様々な情報や項目を入力する操作表示部６と、暗証番号等を入力するテンキー７とが設けられている。
【００２４】
さらにＡＴＭ１の内部には、ＡＴＭ１の全体を統括的に制御して、上述した各部の制御を行う主制御部８や、ＡＴＭ１の運用情報などを記憶するメモリ部９が設けられている。
【００２５】
さらにこれら主制御部８及びメモリ部９とは別に、紙幣入出金機４の内部に、紙幣入出金機４の制御を行う制御部１０と、この制御部１０の記憶領域となるメモリ部１１とが設けられている。
【００２６】
［２．紙幣入出金機の構成］
次に、図２を用いて、紙幣入出金機４の内部構成について説明する。
【００２７】
この紙幣入出金機４は、入金された紙幣を出金にも利用する所謂リサイクル型の紙幣入出金機であり、その内部は、上側の上部筐体１２と下側の下部筐体１３と、制御部１０（図２では省略）とで構成される。
【００２８】
上部筐体１２には、その前面上方に紙幣の投入口及び受取口となる入出金口部２０が設けられている。この入出金口部２０に上述した入出金口シャッタ５が設けられている。
【００２９】
またこの上部筐体１２には、入出金口部２０の下方に、紙幣の真偽、正損、金種、搬送状態などを判別する鑑別部２１が配置され、入出金口部２０の後方に、紙幣を一時的に保管する一時保留部２２が配置されている。
【００３０】
この一時保留部２２は、上下のテープで紙幣を挟み込んだ状態でドラムに巻き取ることにより紙幣を収納するドラム巻取方式の一時保留部である。このドラム巻取方式の利点は、紙幣の順番が保障されることであり、収納時とは逆順に正確に１枚ずつ繰り出せるようになっている。
【００３１】
さらにこの上部筐体１２には、一時保留部２２の下方に隣接して紙幣収納庫２３が配置されている。尚、紙幣入出金機４では、この紙幣収納庫２３を、リジェクト庫として使用するように設定されている。ゆえに、この紙幣収納庫２３を、ここでは、リジェクト庫２３とも呼ぶ。
【００３２】
さらにこの上部筐体１２には、これら入出金口部２０、鑑別部２１、一時保留部２２、リジェクト庫２３を繋ぐ搬送路（この搬送路をここでは上部搬送路と呼ぶ）２４が設けられている。
【００３３】
具体的にこの上部搬送路２４は、入出金口部２０の底面前方に接続され、ここから下方に延存し、途中で下方と後方とに分岐する。この分岐箇所Ｓ１から下方に分岐した部分はそのまま下方の下部筐体１３と接続され、後方に分岐した部分は鑑別部２１と接続される。
【００３４】
またこの分岐箇所Ｓ１には、紙幣の搬送方向を、後方（鑑別部２１側）及び下方（下部筐体１３側）の二方向に切り替えることのできる切替器２５ａが設けられている。
【００３５】
さらに上部搬送路２４は、鑑別部２１を通過し、そこから上方に円弧を描くように折り返されて入出金口部２０の底面後方に接続される。
【００３６】
さらに上部搬送路２４は、上方に円弧を描くように折り返されている部分の中央で後方に分岐してリジェクト庫２３と接続される。
【００３７】
この分岐箇所Ｓ２には、紙幣の搬送方向を上方（一時保留部２２及び入出金口部２０側）、後方（リジェクト庫２３側）、下方（鑑別部２１側）の三方向に切り替えることのできる切替器２５ｂが設けられている。
【００３８】
さらに上部搬送路２４は、上方に円弧を描くように折り返されている部分の上端で上方に分岐して一時保留部２２と接続される。
【００３９】
この分岐箇所Ｓ３には、紙幣の搬送方向を上方（一時保留部２２側）、前方（入出金口部２０側）、後方（リジェクト庫２３及び鑑別部２１側）に切り替えることのできる切替器２５ｃが設けられている。
【００４０】
またこの上部搬送路２４の所定箇所（例えば、上方に円弧を描くように折り返されている部分の下端部分）には、紙幣の通過などを検知するためのセンサ２６が配置されている。
【００４１】
下部筐体１３は、板厚の鋼板で囲われた金庫筐体２７の内側に、紙幣貯蔵部２８が設けられた構成となっている。
【００４２】
この紙幣貯蔵部２８は、例えば保守作業時などに、ＡＴＭ１の前面から引き出すことができるよう前後方向にスライド可能となっている。
【００４３】
この紙幣貯蔵部２８には、複数（例えば５個）の縦長の紙幣収納庫２９ａ〜２９ｅが前後方向に並べて配置され、さらに最後尾の紙幣収納庫２９ｅより後方に、紙幣収納庫２９ａ〜２９ｅより小型の紙幣収納庫３０が配置されている。
【００４４】
尚、紙幣入出金機４では、この紙幣収納庫３０を、リジェクト庫として使用するように設定されている。ゆえに、この紙幣収納庫３０を、ここでは、リジェクト庫３０とも呼ぶ。
【００４５】
さらに紙幣貯蔵部２８には、５個の紙幣収納庫２９（２９ａ〜２９ｅ）及びリジェクト庫３０の上方に、前後方向に延在する搬送路（この搬送路をここでは下部搬送路と呼ぶ）３１が設けられている。
【００４６】
この下部搬送路３１は、５個の紙幣収納庫２９（２９ａ〜２９ｅ）及びリジェクト庫３０のそれぞれと接続されると共に、前端部分が上方に延在して上部搬送路２４と接続される。
【００４７】
また下部搬送路３１には、５個の紙幣収納庫２９（２９ａ〜２９ｅ）との接続箇所のそれぞれに、搬送方向を前方（上部搬送路２４側）、後方（次の紙幣収納庫２９又はリジェクト庫３０側）、下方（紙幣収納庫２９側）に切り替えることのできる切替器３２ａ〜３２ｅが設けられている。
【００４８】
さらにこの下部搬送路３１の所定箇所（例えば、前端の上方に延在している部分）には、紙幣の通過などを検知するためのセンサ３３が設けられている。
【００４９】
制御部１０（図２では省略）は、鑑別部２１による紙幣の鑑別結果及びセンサ２６及び３３による検知結果などをもとに上部筐体１２及び下部筐体１３の各部を制御して、紙幣の入金処理及び出金処理を行う。
【００５０】
［３．紙幣入出金機の入金取引時及び出金取引時の動作］
［３−１．入金取引時の紙幣の計数］
次に、紙幣入出金機４の入金取引時及び出金取引時の動作について説明する。尚、この動作は、主として制御部１０の制御のもとに行われる動作である。ここではまず、図３を用いて、入金取引時の紙幣の計数について説明する。
【００５１】
紙幣入出金機４は、利用者によりＡＴＭ１にキャッシュカードなどが挿入され、操作表示部６を介して、取引項目（この場合、入金）などが入力されると、入出金口シャッタ５を開ける。これにより紙幣入出金機４は、紙幣の投入が可能な状態となる。
【００５２】
その後、利用者により入出金口部２０に紙幣が投入されると、紙幣入出金機４は、入出金口部２０内のセンサにより紙幣の投入を検知して、入出金口シャッタ５を閉じる。
【００５３】
その後、図３に示すように、入出金口部２０に投入された紙幣は、１枚ずつ分離され、図中実線の矢印で示すように、上部搬送路２４に繰り出される。
【００５４】
このとき、制御部１０は、分岐箇所Ｓ１の切替器２５ａを制御して、分岐箇所Ｓ１での搬送方向を後方（鑑別部２１側）に切り替えている。ゆえに、紙幣は、分岐箇所Ｓ１から後方の鑑別部２１へと搬送される。
【００５５】
鑑別部２１では、搬送されてくる紙幣の真偽、正損、金種、搬送状態などを１枚ずつ鑑別して、その鑑別結果を制御部１０に送る。
【００５６】
制御部１０は、各紙幣の鑑別結果を、鑑別された順番と対応付け、入金時鑑別結果情報としてメモリ部１１に記憶する。また制御部１０は、この鑑別結果をもとに、分岐箇所Ｓ３の切替器２５ｃを制御して、分岐箇所Ｓ３での搬送方向を上方（一時保留部２２側）又は前方（入出金口部２０）に切り替える。
【００５７】
尚、このとき分岐箇所Ｓ２では、切替器２５ｂにより、搬送方向が上方（一時保留部２２及び入出金口部２０側）に切り替えられている。
【００５８】
実際、鑑別部２１の鑑別により入金に適した紙幣と判別された紙幣については、図中実線の矢印で示すように、鑑別部２１から一時保留部２２へと搬送されて一時保留部２２に収納される。
【００５９】
ここで、制御部１０は、メモリ部１１に記憶している入金時鑑別結果情報を参照することで、一時保留部２２に収納されている紙幣のそれぞれの金種を判別して、この金種をもとに一時保留部２２に収納されている紙幣の計数を行う。そして制御部１０は、計数結果を操作表示部６に表示して利用者に対して入金計数結果の確認を行う。
【００６０】
尚、入金時鑑別結果情報には、投入された紙幣ごとに、鑑別部２１で鑑別された順番と鑑別結果とが対応付けられて記されていることから、この入金時鑑別結果情報を参照すれば、一時保留部２２に収納されている紙幣のそれぞれの金種を特定できるようになっている。
【００６１】
一方で、鑑別部２１の鑑別により入金に適していない紙幣（入金リジェクト紙幣）と判別された紙幣については、図中点線の矢印に示すように、鑑別部２１から入出金口部２０へと搬送されて入出金口部２０に集積される。
【００６２】
ここで、紙幣入出金機４は、入出金口シャッタ５を開く。これにより、入金リジェクト紙幣の受け取りが可能な状態となり、入金リジェクト紙幣が利用者に返却される。
【００６３】
尚、入金に適していない紙幣（入金リジェクト紙幣）とは、例えば、損券、外国紙幣などである。ちなみに、偽札については、ＡＴＭ１が設置された国によっても異なるが、ここでは、利用者に再利用されないよう返却せずに、入金に適した紙幣と一緒にして一時保留部２２に収納するようになっている。
【００６４】
このようにして、紙幣入出金機４は、利用者により投入された紙幣の計数、及び入金リジェクト紙幣の返却を行う。
【００６５】
［３−２．入金取引時の紙幣の収納］
その後、入金計数結果を確認した利用者により、操作表示部６を介して入金取引を確定する旨の指示がなされると、紙幣入出金機４は、入金取引を確定すると共に入金された紙幣の収納を行う。ここで、図４を用いて、入金取引確定後の紙幣の収納について説明する。
【００６６】
具体的に、入金された紙幣、すなわち一時保留部２２に収納されている紙幣は、図中実線の矢印で示すように、最後に収納された紙幣から順に１枚ずつ、上部搬送路２４に繰り出される。
【００６７】
このとき、制御部１０は、分岐箇所Ｓ３の切替器２５ｃを制御して、分岐箇所Ｓ３での搬送方向を下方（リジェクト庫２３及び鑑別部２１側）に切り替えている。ゆえに、紙幣は、分岐箇所Ｓ３から下方へと搬送される。
【００６８】
さらにこのとき制御部１０は、メモリ部１１に記憶している入金時鑑別結果情報を参照することで、一時保留部２２から繰り出される紙幣のそれぞれが出金に適した紙幣（すなわちリサイクル可能な紙幣）であるかどうかを判別する。
【００６９】
尚、入金時鑑別結果情報には、鑑別部２１で鑑別された順番と鑑別結果とが対応付けられて記されていることから、この入金時鑑別結果情報を参照すれば、一時保留部２２に収納されている紙幣の順番（すなわち繰り出される順番）と鑑別結果を特定できるようになっている。
【００７０】
ここで、制御部１０は、一時保留部２２から繰り出される紙幣ごとに、出金に適した紙幣であるかどうかの判別結果をもとに、分岐箇所Ｓ２の切替器２５ｂを制御して、分岐箇所Ｓ２での搬送方向を下方（鑑別部２１側）又は後方（リジェクト庫２３側）に切り替える。
【００７１】
尚、分岐箇所Ｓ１の切替器２５ａについては、分岐箇所Ｓ１での搬送方向を下方（下部筐体１３側）に切り替えられている。
【００７２】
実際、一時保留部２２から繰り出された紙幣のうち、出金に適した紙幣と判別された紙幣については、図中実線の矢印で示すように、一時保留部２２から鑑別部２１へと搬送され、鑑別部２１により金種等が再判別された後、下部筐体１３に搬送される。
【００７３】
ここで、制御部１０は、下部筐体１３に搬送された紙幣が、その金種に応じた紙幣収納庫２９（２９ａ〜２９ｅ）へと搬送されるように、適宜、下部搬送路３１の各切替器３２（３１ａ〜３２ｅ）を制御して搬送方向を切り替える。
【００７４】
この結果、下部筐体１３に搬送された紙幣、すなわち出金に適した紙幣と判別された紙幣は、その金種に応じた紙幣収納庫２９（２９ａ〜２９ｅ）へ搬送されて収納される。
【００７５】
これに対して、出金に適さない紙幣と判別された紙幣については、図中点線の矢印で示すように、一時保留部２２から鑑別部２１を通さず直にリジェクト庫２３へと搬送されて収納される。
【００７６】
尚、ここで言う出金に適さない紙幣とは、例えば、偽札などである。偽札については、上述したように利用者に返却されずに一時保留部２２に収納されているため、この時点で、他の正常な紙幣とは隔離してリジェクト庫２３に収納するようになっている。
【００７７】
このように、入金取引時に一時保留部２２に収納された紙幣のうち、出金に適さない偽札などの紙幣、すなわち正常な紙幣とは隔離して収納すべき紙幣については、一時保留部２２から鑑別部２１を通さずに直にリジェクト庫２３へと収納するようになっている。
【００７８】
こうすることで、例えば、従来のような必ず鑑別部２１を通す経路で収納する場合と比して、一時保留部２２から収納先（すなわちリジェクト庫２３）までの搬送距離を短くすることができ、正常な紙幣とは隔離して収納すべき紙幣による障害（ジャムなど）の発生率を低減させることができる。
【００７９】
ちなみに、ここでは、上部筐体１２のリジェクト庫２３に、出金に適さない紙幣を搬送して収納するようにしたが、例えば、このリジェクト庫２３が満杯の場合に、この紙幣を、下部筐体１３のリジェクト庫３０に搬送して収納するようにしてもよい。
【００８０】
これに限らず、例えば、リジェクト庫２３には偽札を収納し、リジェクト庫３０には、偽札以外の出金に適さない紙幣を収納するなどしてもよい。
【００８１】
このようにして、紙幣入出金機４は、入金された紙幣の紙幣を行う。
【００８２】
［３−３．出金取引時の紙幣の出金］
次に、図５を用いて、出金取引時の紙幣の出金について説明する。
【００８３】
紙幣入出金機４は、利用者によりＡＴＭ１にキャッシュカードなどが挿入され、操作表示部６を介して、取引項目（この場合、出金）、暗証番号、出金金額などが入力されると、要求金額に応じて必要な金種毎の紙幣枚数を認識し、この金種毎の紙幣枚数に応じて紙幣収納庫２９（２９ａ〜２９ｄ）から紙幣を１枚ずつ下部搬送路３１に繰り出す。
【００８４】
尚、このとき制御部１０は、紙幣収納庫２９（２９ａ〜２９ｅ）から下部搬送路３１に繰り出される紙幣が上部搬送路２４へと搬送されるように、適宜、下部搬送路３１の各切替器３２（３１ａ〜３２ｅ）を制御して搬送方向を切り替える。
【００８５】
またこのとき上部搬送路２４の分岐箇所Ｓ１では、切替器２５ａにより、搬送方向が後方（鑑別部２１側）に切り替えられている。
【００８６】
これにより、各紙幣収納庫２９（２９ａ〜２９ｅ）から１枚ずつ下部搬送路３１に繰り出された紙幣は、上部搬送路２４へと搬送され、さらに鑑別部２１へと搬送される。
【００８７】
鑑別部２１では、搬送されてくる紙幣の真偽、正損、金種、搬送状態などを１枚ずつ鑑別して、その鑑別結果を制御部１０に送る。
【００８８】
制御部１０は、各紙幣の鑑別結果を、鑑別された順番と対応付け、出金時鑑別結果情報としてメモリ部１１に記憶する。また制御部１０は、この鑑別結果をもとに、分岐箇所Ｓ３の切替器２５ｃを制御して、分岐箇所Ｓ３での搬送方向を上方（一時保留部２２側）又は前方（入出金口部２０）に切り替える。
【００８９】
尚、このとき分岐箇所Ｓ２では、切替器２５ｂにより、搬送方向が上方（一時保留部２２及び入出金口部２０側）に切り替えられている。
【００９０】
実際、鑑別部２１の鑑別により出金に適した紙幣と判別された紙幣については、図中実線の矢印で示すように、鑑別部２１から入出金口部２０へと搬送されて入出金口部２０に集積される。
【００９１】
一方で、鑑別部２１の鑑別により出金に適さない紙幣（出金リジェクト紙幣）と判別された紙幣については、図中点線の矢印で示すように、鑑別部２１から一時保留部２２へと搬送されて一時保留部２２に収納される。
【００９２】
出金金額分の紙幣が入出金口部２０へ集積されると、紙幣入出金機４は、入出金口シャッタ５を開ける。これにより入出金口部２０内に集積されている紙幣（すなわち出金紙幣）の受け取りが可能な状態となり、利用者がこの紙幣を受け取る。
【００９３】
このようにして紙幣入出金機４は、紙幣の出金を行う。
【００９４】
［３−４．入金取引時及び出金取引時の紙幣の取り込み］
次に、入金取引時及び出金取引時の紙幣の取り込みについて説明する。まず、取り忘れ紙幣の取り込みについて説明する。
【００９５】
取り忘れ紙幣とは、入金取引時に入出金口部２０に戻した入金リジェクト紙幣のうちの利用者が取り忘れた紙幣、及び出金取引時に入出金口部２０に集積した出金紙幣のうちの利用者が取り忘れた紙幣のことである。
【００９６】
紙幣入出金機４は、入金取引時に入出金口部２０に入金リジェクト紙幣を戻した後、又は出金取引時に入出金口部２０に出金紙幣を集積した後、規定時間内にこれらの紙幣が入出金口部２０から抜き取られない場合に、入出金口シャッタ５を閉じる。
【００９７】
その後、図６に示すように、入出金口部２０に残されている紙幣（すなわち取り忘れ紙幣）は、１枚ずつ分離され、図中実線の矢印で示すように、上部搬送路２４に繰り出される。
【００９８】
このとき、制御部１０は、分岐箇所Ｓ１の搬送方向が後方（鑑別部２１側）、分岐箇所Ｓ２の搬送方向が上方（一時保留部２２及び入出金口部２０側）、分岐箇所Ｓ３の搬送方向が上方（一時保留部２２側）となるように、各切替器２５ａ〜２５ｃを制御する。
【００９９】
これにより、紙幣は、まず鑑別部２１へと搬送され鑑別される。鑑別部２１では、このときの鑑別結果も制御部１０に送る。
【０１００】
制御部１０は、各紙幣の鑑別結果を、鑑別された順番と対応付け、取込時鑑別結果情報としてメモリ部１１に記憶する。
【０１０１】
鑑別部２１により鑑別された紙幣は、その後、一時保留部２２へと搬送されて一時保留部２２に収納される。このようにして取り忘れ紙幣は、一旦、一時保留部２２に収納される。
【０１０２】
一時保留部２２への収納が完了すると、図７に示すように、一時保留部２２に収納されている紙幣は、最後に収納された紙幣から順に１枚ずつ、上部搬送路２４に繰り出される。
【０１０３】
このとき、制御部１０は、分岐箇所Ｓ３の搬送方向が下方（リジェクト庫２３側）、分岐箇所Ｓ２の搬送方向が後方（リジェクト庫２３側）となるように、切替器２５ｃ及び２５ｂを制御する。
【０１０４】
これにより、取り忘れ紙幣は、図中実線の矢印で示すように、一時保留部２２からリジェクト庫２３へと搬送されて収納される。
【０１０５】
ここでも、取り忘れ紙幣、すなわち正常な紙幣とは隔離して収納すべき紙幣については、一時保留部２２から鑑別部２１を通さずに直にリジェクト庫２３へと収納するようになっている。
【０１０６】
こうすることで、例えば、従来と比して、正常な紙幣とは隔離して収納すべき紙幣（この場合、取り忘れ紙幣）の搬送距離を短くすることができ、このような紙幣による障害の発生率を低減させることができる。
【０１０７】
尚、ここでは、上部筐体１２のリジェクト庫２３に、取り忘れ紙幣を搬送して収納するようにしたが、例えば、このリジェクト庫２３が満杯の場合に、この取り忘れ紙幣を、下部筐体１３のリジェクト庫３０に搬送して収納するようにしてもよい。
【０１０８】
またこれに限らず、例えば、制御部１０が、取込時鑑別結果情報を参照することで、偽札と判別した取り忘れ紙幣については、リジェクト庫２３に収納し、偽札ではない取り忘れ紙幣については、リジェクト庫３０に収納するなどしてもよい。
【０１０９】
このようにして、紙幣入出金機４は、取り忘れ紙幣の取り込みを行う。
【０１１０】
次に、出金リジェクト紙幣の取り込みについて説明する。出金リジェクト紙幣は、図５で説明したように、出金取引時に一時保留部２２に収納されるようになっている。
【０１１１】
紙幣入出金機４は、例えば、出金取引が終了すると、一時保留部２２に収納している出金リジェクト紙幣の取り込みを行う。
【０１１２】
具体的に、一時保留部２２に収納されている出金リジェクト紙幣は、図８に示すように、最後に収納された紙幣から順に１枚ずつ、上部搬送路２４に繰り出される。
【０１１３】
ここで、制御部１０は、出金リジェクト紙幣を再利用するように紙幣入出金機４が設定されている場合、分岐箇所Ｓ３の搬送方向が下方（リジェクト庫２３及び鑑別部２１側）、分岐箇所Ｓ２の搬送方向が下方（鑑別部２１側）となるように、切替器２５ｃ及び２５ｂを制御する。
【０１１４】
これにより、一時保留部２２から繰り出された出金リジェクト紙幣は、図中実線の矢印で示すように、鑑別部２１へと搬送され鑑別される。
【０１１５】
ここで、鑑別部２１の鑑別により出金に適した紙幣と判別された紙幣については、入金取引時の収納と同様の動作で、その金種に応じた紙幣収納庫２９（２９ａ〜２９ｅ）へ搬送されて収納される。
【０１１６】
これに対して、鑑別部２１の鑑別により再度出金に適さない紙幣と判別された紙幣については、鑑別部２１から下部筐体１３のリジェクト庫３０へと搬送されてリジェクト庫３０に収納される。
【０１１７】
また一方で、出金リジェクト紙幣を再利用しないように設定されている場合、制御部１０は、分岐箇所Ｓ３の搬送方向が下方（リジェクト庫２３及び鑑別部２１側）、分岐箇所Ｓ２の搬送方向が後方（リジェクト庫２３側）となるように、切替器２５ｃ及び２５ｂを制御する。
【０１１８】
これにより、一時保留部２２から繰り出された出金リジェクト紙幣は、リジェクト庫２３へと搬送されてリジェクト庫２３に収納される。
【０１１９】
ここでも、正常な紙幣とは隔離して収納するよう設定されている出金リジェクト紙幣については、一時保留部２２から鑑別部２１を通さずに直にリジェクト庫２３へと収納するようになっている。
【０１２０】
こうすることで、例えば、従来と比して、正常な紙幣とは隔離して収納すべき紙幣（この場合、出金リジェクト紙幣）の搬送距離を短くすることができ、このような紙幣による障害の発生率を低減させることができる。
【０１２１】
尚、この場合も、例えば、リジェクト庫２３が満杯の場合に、この出金リジェクト紙幣を、下部筐体１３のリジェクト庫３０に搬送して収納するようにしてもよい。
【０１２２】
このようにして、紙幣入出金機４は、出金リジェクト紙幣の取り込みを行う。
【０１２３】
尚、紙幣の取り込みは、ジャムなどの障害が発生したときに行われる紙幣入出金機４の復旧動作時にも行われる。
【０１２４】
この場合、入出金口部２０に残っている紙幣については、上述した取り忘れ紙幣の取り込みと同様の動作で取り込み、一時保留部２２に残留している紙幣については、上述した出金リジェクト紙幣の取り込みと同様の動作で取り込む。
【０１２５】
［３−５．入金取引時の紙幣の返却］
次に、入金取引時に、利用者により入金の取り消しが指示された場合の紙幣の返却について説明する。
【０１２６】
紙幣入出金機４は、入金取引時に、入金取引を確定する前の段階で、操作表示部６を介して入金を取り消す旨の指示がなされると、投入された紙幣の返却を行う。
【０１２７】
利用者により入出金口部２０に投入された紙幣は、図４で説明したように、一時保留部２２に収納されている。よって、この一時保留部２２に収納されている紙幣を返却する。
【０１２８】
具体的に、一時保留部２２に収納されている紙幣は、図９に示すように、最後に収納された紙幣から順に１枚ずつ、上部搬送路２４に繰り出される。
【０１２９】
このとき制御部１０は、メモリ部１１に記憶している入金時鑑別結果情報を参照することで、一時保留部２２から繰り出される紙幣のそれぞれが返却可能な紙幣であるかどうかを判別する。
【０１３０】
ここで、制御部１０は、一時保留部２２から繰り出される紙幣ごとに、返却可能な紙幣であるかどうかの判別結果をもとに、分岐箇所Ｓ３の切替器２５ｃを制御して、分岐箇所Ｓ３での搬送方向を下方（リジェクト庫２３及び鑑別部２１側）又は前方（入出金口部２０側）に切り替える。
【０１３１】
尚、分岐箇所Ｓ２の切替器２５ｂについては、分岐箇所Ｓ１での搬送方向を後方（リジェクト庫２３側）に切り替えられている。
【０１３２】
実際、一時保留部２２から繰り出された紙幣のうち、返却可能な紙幣と判別された紙幣については、図中実線の矢印で示すように、一時保留部２２から入出金口部２０へと搬送され、入出金口シャッタ５が開くことにより、利用者に返却される。
【０１３３】
これに対して、返却不可能な紙幣と判別された紙幣については、図中点線の矢印で示すように、一時保留部２２からリジェクト庫２３へと搬送されて収納される。
【０１３４】
尚、ここで言う返却不可能な紙幣とは、例えば、偽札などである。偽札については、上述したように利用者に再利用されないよう、返却せずに、リジェクト庫２３に収納するようになっている。
【０１３５】
ここでも、偽札などの紙幣、すなわち正常な紙幣とは隔離して収納すべき紙幣については、一時保留部２２から鑑別部２１を通さずに直にリジェクト庫２３へと収納するようになっている。
【０１３６】
こうすることで、例えば、従来と比して、正常な紙幣とは隔離して収納すべき紙幣（例えば偽札）の搬送距離を短くすることができ、このような紙幣による障害の発生率を低減させることができる。
【０１３７】
このようにして、紙幣入出金機４は、利用者により入金の取り消しが指示された場合に紙幣の返却を行う。
【０１３８】
［４．まとめ］
ここまで説明したように、紙幣入出金機４の制御部１０は、一時保留部２２に収納される前段で行われた鑑別部２１による紙幣の鑑別結果を、鑑別結果情報として記憶する。
【０１３９】
その後、一時保留部２２に収納された紙幣を繰り出すときに、制御部１０は、この鑑別結果情報をもとに、一時保留部２２に収納されている紙幣が、それぞれ正常な紙幣か、正常な紙幣とは隔離して収納すべき紙幣であるかを判別する。
【０１４０】
そして制御部１０は、正常な紙幣とは隔離して収納すべき紙幣と判別した紙幣については、鑑別部２１を介さずに一時保留部２２から直にリジェクト庫２３へと搬送して収納する。
【０１４１】
こうすることで、紙幣入出金機４は、例えば、従来のような必ず鑑別部２１を介した経路で搬送する場合と比して、一時保留部２２から直に収納先（すなわちリジェクト庫２３）へと搬送する分、一時保留部２２から収納先（リジェクト庫２３）までの搬送距離を短くすることができ、正常な紙幣とは隔離して収納すべき紙幣による障害（ジャムなど）の発生率を低減させることができる。
【０１４２】
またこうすることで、正常な紙幣とは隔離して収納すべき偽札などが搬送途中でジャムとなり正常紙幣と区別できなくなってしまうような状況を極力回避することもできる。
【０１４３】
さらに紙幣入出金機４は、正常な紙幣と隔離して収納すべき紙幣を収納するリジェクト庫２３を、一時保留部２２に隣接して配置するようにして、一時保留部２２からリジェクト庫２３までの搬送距離を必要最小限の距離としたことで、一時保留部２２からリジェクト庫２３への搬送途中での障害（ジャムなど）の発生率をより一層低減させることができる。
【０１４４】
以上の構成によれば、紙幣入出金機４は、正常な紙幣とは隔離して収納すべき紙幣による障害の発生率を従来より低減させることができ、かくして、従来と比して一段と障害の発生率を低減することができる。
【０１４５】
［５．他の実施の形態］
［５−１．他の実施の形態１］
尚、上述した実施の形態では、紙幣入出金機４の上部筐体１２に１つのリジェクト庫２３を設け、下部筐体１３に１つのリジェクト庫３０を設けるようにした。
【０１４６】
これに限らず、リジェクト庫２３や３０の数を２つ以上にしてもよい。例えば図１０に示すように、上部筐体１２に２つのリジェクト庫２３ａ及び２３ｂを設けるなどしてもよい。
【０１４７】
この場合、例えば、一時保留部２２の下に隣接してリジェクト庫２３ａを配置すると共に、さらにこのリジェクト庫２３ａの下に隣接してリジェクト庫２３ｂを配置するようにする。
【０１４８】
ここで、上側のリジェクト庫２３ａは、上述した実施の形態のリジェクト庫２３と同様、上部搬送路２４のうちの分岐箇所Ｓ２から後方に分岐した部分と接続される。
【０１４９】
一方、下側のリジェクト庫２３ｂは、上部搬送路２４のうちの分岐箇所Ｓ２の下方の分岐箇所Ｓ４から後方に分岐した部分と接続されるようにする。またこの分岐箇所Ｓ４にも、切替器２５ｄを設けるようにする。
【０１５０】
そして例えば、正常な紙幣と隔離して収納すべき紙幣を、まずは上側のリジェクト庫２３ａに収納するようにして、このリジェクト庫２３ａが満杯になったら、下側のリジェクト庫２３ｂに収納するようにする。
【０１５１】
またこれに限らず、例えば、上側のリジェクト庫２３ａには偽札を収納し、下側のリジェクト庫２３ｂには、偽札以外の、正常な紙幣とは隔離して収納すべき紙幣を収納するなどして、上側のリジェクト庫２３ａと下側のリジェクト庫２３ｂとで収納する紙幣を区別するなどしてもよい。
【０１５２】
［５−２．他の実施の形態２］
また、上述した実施の形態では、紙幣入出金機４の上部筐体１２の一時保留部２２の下にリジェクト庫２３を設けると共に、下部筐体１３の紙幣貯蔵部２８の後部にリジェクト庫３０を設けるようにした。
【０１５３】
これに限らず、例えば図１１に示すように、上部筐体１２のリジェクト庫２３を省略して、下部筐体１３の紙幣貯蔵部２８の後部にのみリジェクト庫３０を設けるようにしてもよい。
【０１５４】
この場合、上部搬送路２４は、分岐箇所Ｓ２で後方斜め下に分岐し、後方斜め下に分岐した部分がそのまま下部搬送路３１まで延びて下部搬送路３１に接続される。
【０１５５】
そして、正常な紙幣とは隔離して収納すべき紙幣については、一時保留部２２から鑑別部２１を介さず、分岐箇所Ｓ２から後方斜め下に延びる部分を通って、リジェクト庫３０に直に搬送されるようにする。
【０１５６】
このようにした場合でも、例えば、従来のような必ず鑑別部２１を介した経路で搬送する場合と比して、一時保留部２２から直に収納先（すなわちリジェクト庫３０）へと搬送する分、一時保留部２２から収納先（リジェクト庫３０）までの搬送距離を短くすることができ、正常な紙幣とは隔離して収納すべき紙幣による障害（ジャムなど）の発生率を低減させることができる。
【０１５７】
［５−３．他の実施の形態３］
また、上述した実施の形態では、下部筐体１３の紙幣貯蔵部２８を、複数の縦長の紙幣収納庫２９（２９ａ〜２９ｅ）を横方向（前後方向）に配置する所謂横置型の紙幣貯蔵部とした。
【０１５８】
これに限らず、例えば図１２に示すように、下部筐体１３の紙幣貯蔵部２８を、複数（例えば）の横長の紙幣収納庫４０（４０ａ〜４０ｄ）を縦方向（上下方向）に配置する所謂縦置型の紙幣貯蔵部としてもよい。尚、図中省略しているが、この下部筐体１３も、金庫筐体の内側に紙幣貯蔵庫２８が設けられた構成となっている。
【０１５９】
この場合、紙幣貯蔵部２８には、４個の紙幣収納庫４０（４０ａ〜４０ｄ）の前方に、上下方向に延在する下部搬送路４１が設けられている。
【０１６０】
この下部搬送路４１は、４個の紙幣収納庫４０（４０ａ〜４０ｄ）と接続されると共に、上方に延在して上部搬送路２４と接続される。
【０１６１】
さらにこの紙幣貯蔵部２８は、一番上の紙幣収納庫４０ａの奥行が他の紙幣収納庫４０ｂ〜４０ｄより短くなっていて、このスペースにリジェクト庫４２が設けられている。
【０１６２】
一方、上部筐体１２は、リジェクト庫２３が省略された構成でなり、上部搬送路２４が分岐箇所Ｓ２で後方斜め下に分岐し、後方斜め下に分岐した部分がそのままリジェクト庫４２まで延びてリジェクト庫４２に接続されるようになっている。
【０１６３】
そして、この場合も、正常な紙幣とは隔離して収納すべき紙幣については、図中実線の矢印で示すように、一時保留部２２から鑑別部２１を介さず、分岐箇所Ｓ２から後方斜め下に延びる部分を通って、リジェクト庫４２に直に搬送されるようにする。
【０１６４】
このようにした場合でも、例えば、従来のような必ず鑑別部２１を介した経路で搬送する場合と比して、一時保留部２２から直に収納先（すなわちリジェクト庫４２）へと搬送する分、一時保留部２２から収納先（リジェクト庫４２）までの搬送距離を短くすることができ、正常な紙幣とは隔離して収納すべき紙幣による障害（ジャムなど）の発生率を低減させることができる。
【０１６５】
［５−４．他の実施の形態４］
さらに、上述した実施の形態では、本発明を、ＡＴＭ１に設けられた紙幣入出金機４に適用したが、本発明は、これに限らず、正常な紙幣とは隔離して収納すべき紙幣を、一時保留部からその収納先に搬送して収納する装置であれば、この他種々の装置に適用することができる。
【０１６６】
さらに上述した実施の形態では、本発明を、紙幣処理装置としてのＡＴＭ１に適用したが、本発明は、これに限らず、正常な紙幣とは隔離して収納すべき紙幣を、一時保留部からその収納先に搬送して収納する紙幣入出金機を備えた装置であれば、この他種々の装置に適用することができる。
【０１６７】
［５−５．他の実施の形態５］
さらに、本発明は、上述した実施の形態と、上述した他の実施の形態とに限定されるものではない。すなわち本発明は、上述した実施の形態と上述した他の実施の形態の一部または全部を任意に組み合わせた実施の形態や、一部を抽出した実施の形態にもその適用範囲が及ぶものである。
【産業上の利用可能性】
【０１６８】
本発明は、紙幣を扱うＡＴＭなどの装置で広く利用することができる。
【符号の説明】
【０１６９】
１……ＡＴＭ、４、１００……紙幣入出金機、１０……制御部、１１……メモリ部、２０、１０１……入出金口部、２１、１０２……鑑別部、２２、１０３……一時保留部、２３、３０、４２、１０５……リジェクト庫、２４……上部搬送路、２９、４０、１０４……紙幣収納庫、３１、４１……下部搬送路、１０６……搬送路。
【図１】
0005500196.tif 000002
【図２】
0005500196.tif 000003
【図３】
0005500196.tif 000004
【図４】
0005500196.tif 000005
【図５】
0005500196.tif 000006
【図６】
0005500196.tif 000007
【図７】
0005500196.tif 000008
【図８】
0005500196.tif 000009
【図９】
0005500196.tif 000010
【図１０】
0005500196.tif 000011
【図１１】
0005500196.tif 000012
【図１２】
0005500196.tif 000013
【図１３】
0005500196.tif 000014